(57)【要約】【課題】筐体の内部に浸入した水を適正に処理することができる電気接続箱、及び、ワイヤハーネスを提供することを目的とする。【解決手段】ワイヤハーネスＷＨに適用される電気接続箱１は、内部に形成され電子部品を収容する収容空間部３５、内部において収容空間部３５の水平方向側方に区画壁部３１ｂを介して区画され内部に浸入した水を鉛直方向下側に誘導する誘導空間部３８、及び、誘導空間部３８内に鉛直方向と交差する誘導方向Ａに沿って延在して設けられ、当該誘導空間部３８内を鉛直方向下側に誘導される水を誘導方向Ａに沿って誘導空間部３８の排水口３１ｅ、３１ｆ側に誘導する排水リブ３１ｄを有する筐体３を備え、区画壁部３１ｂは、鉛直方向下側の端部３１ｊが排水リブ３１ｄに沿って位置することを特徴とする。【選択図】図４
2018186628.tif 000002
【特許請求の範囲】
【請求項１】
内部に形成され電子部品を収容する収容空間部、内部において前記収容空間部の水平方向側方に区画壁部を介して区画され内部に浸入した水を鉛直方向下側に誘導する誘導空間部、及び、前記誘導空間部内に鉛直方向と交差する誘導方向に沿って延在して設けられ、当該誘導空間部内を鉛直方向下側に誘導される水を前記誘導方向に沿って前記誘導空間部の排水口側に誘導する排水リブを有する筐体を備え、
前記区画壁部は、前記鉛直方向下側の端部が前記排水リブに沿って位置することを特徴とする、
電気接続箱。
【請求項２】
前記筐体は、前記誘導空間部内に鉛直方向に沿って延在して設けられ、前記排水リブから前記排水口まで延在する鉛直リブを有し、
前記区画壁部は、前記排水リブの鉛直方向下側でかつ前記鉛直リブの水平方向側方の領域であって当該排水リブと前記鉛直リブとによって囲われた領域が切り欠き部を構成する、
請求項１に記載の電気接続箱。
【請求項３】
前記排水リブは、被水回避部位を迂回して設けられる、
請求項１又は請求項２に記載の電気接続箱。
【請求項４】
導電性の配索材と、
前記配索材に電気的に接続される電気接続箱とを備え、
前記電気接続箱は、
内部に形成され前記配索材が電気的に接続される電子部品を収容する収容空間部、内部において前記収容空間部の水平方向側方に区画壁部を介して区画され内部に浸入した水を鉛直方向下側に誘導する誘導空間部、及び、前記誘導空間部内に鉛直方向と交差する誘導方向に沿って延在して設けられ、当該誘導空間部内を鉛直方向下側に誘導される水を前記誘導方向に沿って前記誘導空間部の排水口側に誘導する排水リブを有する筐体を備え、
前記区画壁部は、前記鉛直方向下側の端部が前記排水リブに沿って位置することを特徴とする、
ワイヤハーネス。
【発明の詳細な説明】
【技術分野】
【０００１】
本発明は、電気接続箱、及び、ワイヤハーネスに関する。
【背景技術】
【０００２】
車両等に搭載されるワイヤハーネスに適用される従来の電気接続箱として、例えば、特許文献１には、容器本体の側壁が外壁と内壁との二重壁により形成されている電気接続箱が開示されている。この電気接続箱は、外壁と内壁との間を仕切る水平リブが設けられ、当該水平リブの上部に、高さ方向に延在する上方リブが所定の間隔を隔てて複数設けられると共に、水平リブの下部に、高さ方向に延在する下方リブが所定の間隔を隔てて複数設けられる。そして、当該電気接続箱は、水平リブの各上方リブ間に、上部空間と下部空間とを連通する連通孔が設けられることで、外壁の変形防止を図ると共に容器本体への水の浸入を抑制している。
【先行技術文献】
【特許文献】
【０００３】
【特許文献１】特開２００２−３６９３３５号公報
【発明の概要】
【発明が解決しようとする課題】
【０００４】
ところで、上述の特許文献１に記載の電気接続箱は、例えば、二重壁内に浸入した水の処理に関して更なる改善の余地がある。
【０００５】
本発明は、上記の事情に鑑みてなされたものであって、筐体の内部に浸入した水を適正に処理することができる電気接続箱、及び、ワイヤハーネスを提供することを目的とする。
【課題を解決するための手段】
【０００６】
上記目的を達成するために、本発明に係る電気接続箱は、内部に形成され電子部品を収容する収容空間部、内部において前記収容空間部の水平方向側方に区画壁部を介して区画され内部に浸入した水を鉛直方向下側に誘導する誘導空間部、及び、前記誘導空間部内に鉛直方向と交差する誘導方向に沿って延在して設けられ、当該誘導空間部内を鉛直方向下側に誘導される水を前記誘導方向に沿って前記誘導空間部の排水口側に誘導する排水リブを有する筐体を備え、前記区画壁部は、前記鉛直方向下側の端部が前記排水リブに沿って位置することを特徴とする。
【０００７】
また、上記電気接続箱では、前記筐体は、前記誘導空間部内に鉛直方向に沿って延在して設けられ、前記排水リブから前記排水口まで延在する鉛直リブを有し、前記区画壁部は、前記排水リブの鉛直方向下側でかつ前記鉛直リブの水平方向側方の領域であって当該排水リブと前記鉛直リブとによって囲われた領域が切り欠き部を構成するものとすることができる。
【０００８】
また、上記電気接続箱では、前記排水リブは、被水回避部位を迂回して設けられるものとすることができる。
【０００９】
上記目的を達成するために、本発明に係るワイヤハーネスは、導電性の配索材と、前記配索材に電気的に接続される電気接続箱とを備え、前記電気接続箱は、内部に形成され前記配索材が電気的に接続される電子部品を収容する収容空間部、内部において前記収容空間部の水平方向側方に区画壁部を介して区画され内部に浸入した水を鉛直方向下側に誘導する誘導空間部、及び、前記誘導空間部内に鉛直方向と交差する誘導方向に沿って延在して設けられ、当該誘導空間部内を鉛直方向下側に誘導される水を前記誘導方向に沿って前記誘導空間部の排水口側に誘導する排水リブを有する筐体を備え、前記区画壁部は、前記鉛直方向下側の端部が前記排水リブに沿って位置することを特徴とする。
【発明の効果】
【００１０】
本発明に係る電気接続箱、及び、ワイヤハーネスは、電子部品を収容する収容空間部の水平方向側方に区画壁部を介して区画される誘導空間部によって、筐体の内部に浸入した水を鉛直方向下側に誘導し処理する。このとき、電気接続箱、ワイヤハーネスは、誘導空間部内に設けられた排水リブによって、誘導空間部内を鉛直方向下側に誘導される水を、鉛直方向と交差する誘導方向に沿って誘導空間部の排水口側に誘導することができる。この構成により、電気接続箱、ワイヤハーネスは、誘導空間部内を誘導される水が収容空間部内の電子部品等に付着し当該電子部品等が被水することを抑制した上で、当該浸入した水を排水口から誘導空間部の外部に排水することができる。その上で、電気接続箱、ワイヤハーネスは、当該誘導空間部を区画する区画壁部の鉛直方向下側の端部が排水リブに沿って位置する。この構成により、電気接続箱、ワイヤハーネスは、誘導空間部の鉛直方向に沿った深さを抑制することができるので、当該誘導空間部を区画する区画壁部を形成し易い構成とすることができる。この結果、電気接続箱、ワイヤハーネスは、筐体の内部に浸入した水を適正に処理することができる、という効果を奏する。
【図面の簡単な説明】
【００１１】
【図１】図１は、実施形態に係る電気接続箱の概略構成を表す分解斜視図である。
【図２】図２は、実施形態に係る電気接続箱の概略構成を表す断面斜視図である。
【図３】図３は、実施形態に係る電気接続箱の概略構成を表す部分断面斜視図である。
【図４】図４は、実施形態に係る電気接続箱の概略構成を表す部分断面斜視図である。
【発明を実施するための形態】
【００１２】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１３】
なお、図１は、電子部品、配索材の一部を二点鎖線で省略して図示し、他図では電子部品、配索材の図示自体を省略している。また、以下の説明では、互いに交差する第１方向、第２方向、及び、第３方向のうち、第１方向を「高さ方向Ｘ」といい、第２方向を「第１幅方向Ｙ」といい、第３方向を「第２幅方向Ｚ」という。ここでは、高さ方向Ｘと第１幅方向Ｙと第２幅方向Ｚとは、相互に直交する。典型的には、電気接続箱が車両に搭載され当該車両が水平面に位置する状態で、高さ方向Ｘは、鉛直方向に沿い、第１幅方向Ｙ、第２幅方向Ｚは、水平方向に沿う。以下の説明では、高さ方向Ｘにおいて後述のアッパカバーが設けられる側を上側、後述のロアカバーが設けられる側を下側という場合がある。以下の説明で用いる各方向は、特に断りのない限り、各部が相互に組み付けられ、電気接続箱が車両に搭載された状態での方向として説明する。
【００１４】
［実施形態］
図１、図２に示す本実施形態に係る電気接続箱１は、自動車等の車両に搭載され、ワイヤハーネスＷＨに組み込まれるものである。ワイヤハーネスＷＨは、例えば、車両に搭載される各装置間の接続のために、電源供給や信号通信に用いられる複数の配索材Ｗを束にして集合部品とし、コネクタ等で複数の配索材Ｗを各装置に接続するようにしたものである。ワイヤハーネスＷＨは、導電性の配索材Ｗと、配索材Ｗに電気的に接続される電気接続箱１とを備える。配索材Ｗは、例えば、金属棒、電線、電線束等によって構成される。金属棒は、導電性の棒状部材の外側を絶縁性の被覆部によって覆ったものである。電線は、複数の導電性の金属素線からなる導体部（芯線）の外側を絶縁性の被覆部によって覆ったものである。電線束は、当該電線を束ねたものである。ワイヤハーネスＷＨは、複数の配索材Ｗを束ねて集約すると共に、束ねられた配索材Ｗの端末に設けられた端子やコネクタ等を介して電気接続箱１が電気的に接続される。ワイヤハーネスＷＨは、この他、さらに、グロメット、プロテクタ、固定具等を含んで構成されてもよい。
【００１５】
電気接続箱１は、コネクタ、ヒューズ、リレー、コンデンサ、分岐部、電子制御ユニット等の電装品を集約して内部に収容するものである。電気接続箱１は、例えば、車両のエンジンルームや車両室内に設置される。電気接続箱１は、配索材Ｗ等を介して、バッテリ等の電源と、車両内に搭載される各種電子機器との間に接続されている。電気接続箱１は、電源から供給された電力を車両内の各種電子機器に分配する。電気接続箱１は、ジャンクションボックス、ヒューズボックス、リレーボックスなどとも呼ばれる場合があるが、本実施形態ではこれらを総称して電気接続箱と呼ぶ。
【００１６】
本実施形態の電気接続箱１は、電子部品２と、電子部品２を収容する筐体３とを備える。
【００１７】
電子部品２は、筐体３の内部に収容され、配索材Ｗが電気的に接続されるものである。電子部品２は、複数設けられる。電子部品２は、例えば、コネクタ、ヒューズ、リレー、コンデンサ、分岐部、電子制御ユニット、これらをユニット化した電子部品ユニット等である。
【００１８】
筐体３は、内部に形成される収容空間部３５に電子部品２を収容するものである。筐体３は、筐体本体としてのフレーム３１、底部材としてのロアカバー３２、及び、蓋部材としてのアッパカバー３３を含んで構成される。筐体３は、フレーム３１、ロアカバー３２、及び、アッパカバー３３が組み合わさって全体として中空箱状に形成される。筐体３は、フレーム３１、ロアカバー３２、及び、アッパカバー３３が分割された３層分割構造となっている。フレーム３１、ロアカバー３２、及び、アッパカバー３３は、絶縁性の合成樹脂によって形成される。
【００１９】
フレーム３１は、収容空間部３５を形成する主たる部材である。フレーム３１は、高さ方向Ｘに対向する２面に開口を有する筒枠状に形成される。フレーム３１は、本体側壁面としての側壁部３１ａによって中空状に形成される。側壁部３１ａは、収容空間部３５を形成する壁体である。側壁部３１ａは、略多角形筒状（略矩形筒状）に形成され、高さ方向Ｘの両側に開口している。ロアカバー３２は、フレーム３１の高さ方向Ｘの下側の開口を塞ぐ皿状（トレイ状）の部材である。ロアカバー３２は、底部材側壁面としての側壁部３２ａと、底部３２ｂとによって中空状に形成される。側壁部３２ａは、多角形筒状（略矩形筒状）に形成された壁体である。底部３２ｂは、側壁部３２ａの一方の開口（高さ方向Ｘの下側の開口）を塞ぐ底体である。アッパカバー３３は、フレーム３１の高さ方向Ｘの上側の開口を塞ぐ蓋状の部材である。アッパカバー３３は、蓋部材側壁面としての側壁部３３ａと、天井部３３ｂとによって中空状に形成される。側壁部３３ａは、多角形筒状（略矩形筒状）に形成された壁体である。天井部３３ｂは、側壁部３３ａの一方の開口（高さ方向Ｘの上側の開口）を塞ぐ天井体である。
【００２０】
筐体３は、フレーム３１の高さ方向Ｘの下側の開口とロアカバー３２の開口とが対向し、フレーム３１の高さ方向Ｘの上側の開口とアッパカバー３３の開口とが対向するように位置する。そして、筐体３は、ロアカバー３２がフレーム３１の高さ方向Ｘの下側に組み付けられアッパカバー３３がフレーム３１の高さ方向Ｘの上側に組み付けられる。筐体３は、種々の形式の係止機構３４を備え、フレーム３１に対して、当該係止機構３４を介して、アッパカバー３３、ロアカバー３２が係止される。筐体３は、全体として、第１幅方向Ｙに沿った方向が長辺、第２幅方向Ｚに沿った方向が短辺となる略直方体状に形成される。
【００２１】
そして、フレーム３１、ロアカバー３２、及び、アッパカバー３３によって構成される筐体３は、収容空間部３５と、挿通口３６とを有する。
【００２２】
収容空間部３５は、フレーム３１、ロアカバー３２、及び、アッパカバー３３によって区画され、当該フレーム３１、ロアカバー３２、及び、アッパカバー３３によって囲われた空間である。収容空間部３５は、内部に電子部品２を収容する。収容空間部３５は、第１幅方向Ｙ、及び、第２幅方向Ｚに対してフレーム３１の側壁部３１ａ、ロアカバー３２の側壁部３２ａ、及び、アッパカバー３３の側壁部３３ａによって区画される。また、収容空間部３５は、高さ方向Ｘの下側がロアカバー３２の底部３２ｂによって区画される。収容空間部３５は、高さ方向Ｘの上側がアッパカバー３３の天井部３３ｂによって区画される。電気接続箱１は、この収容空間部３５内にブロック３７が設けられる。ブロック３７は、種々の形式の係止機構を介して、フレーム３１に対して着脱可能に組み付けられる。ブロック３７は、フレーム３１等と同様に絶縁性の合成樹脂によって形成される。ブロック３７は、複数に分割されていてもよい。ブロック３７は、多数のキャビティが形成される。電子部品２は、各キャビティ内に組み付けられる。また、ブロック３７は、導電性の金属材料によって構成された回路体が組み付けられている。回路体は、各キャビティに組み付けられた各電子部品２を電気的に接続し電気回路の一部を構成するものであり、例えば、バスバ等である。ブロック３７は、各キャビティに対して、高さ方向Ｘの下側から挿通口３６等を介して配索された配索材Ｗの端末に設けられた端子等が差し込まれ嵌合される。また、ブロック３７は、各キャビティに対して、高さ方向Ｘの上側から電子部品２が差し込まれ嵌合される。この構成により、各電子部品２と各配索材Ｗとは、ブロック３７に組み付けられ搭載された状態でバスバ等の回路体を介して相互に電気的に接続され、要求される電気回路を構成する。
【００２３】
挿通口３６は、収容空間部３５内の電子部品２に接続される配索材Ｗを筐体３の内外、言い換えれば、収容空間部３５の内外に渡って挿通させるものである。挿通口３６は、例えば、フレーム３１の側壁部３１ａとロアカバー３２の側壁部３２ａとの合わせ面やロアカバー３２の底部３２ｂ等に形成される。ここでは、挿通口３６は、複数形成されている。収容空間部３５内の電子部品２に接続される配索材Ｗは、挿通口３６を介して筐体３の内外に渡って挿通され、配索される。
【００２４】
そして、上記のように構成される電気接続箱１は、図１、図２に示すように、フレーム３１が二重壁構造となっている。電気接続箱１は、フレーム３１とアッパカバー３３との接続部分の隙間を介して筐体３の内部側に浸入した水を、当該二重壁の内側の空間部（後述する誘導空間部３８）を介して鉛直方向下側に誘導する。この構成により、電気接続箱１は、電子部品２が収容されている収容空間部３５側への水の浸入を抑制している。
【００２５】
具体的には、電気接続箱１は、筐体３が誘導空間部３８を有する。誘導空間部３８は、筐体３の内部において収容空間部３５の水平方向側方に区画壁部３１ｂを介して区画されて鉛直方向に沿って延在し内部に浸入した水を鉛直方向下側に誘導するものである。区画壁部３１ｂは、側壁部３１ａより小さい略多角形筒状（略矩形筒状）に形成された壁体である。区画壁部３１ｂは、フレーム３１の側壁部３１ａの内部側に、当該側壁部３１ａと間隔をあけて形成される。区画壁部３１ｂは、外面が水平方向に対して側壁部３１ａの内面と対向しリブ３１ｃ（図３、図４等参照）を介して側壁部３１ａと一体で形成される。リブ３１ｃは、区画壁部３１ｂと側壁部３１ａとの間に介在しこれらを連結するものであり、積層方向（鉛直方向）に沿って延在する。ここでは、リブ３１ｃは、水平方向に間隔をあけて複数設けられる。フレーム３１は、側壁部３１ａと区画壁部３１ｂとの間に形成された空間部が誘導空間部３８として形成される。区画壁部３１ｂ、及び、当該区画壁部３１ｂによって区画される誘導空間部３８は、収容空間部３５の水平方向側方を取り囲むようにして形成される（ただし、一部に、区画壁部３１ｂ、誘導空間部３８がない部分が存在することは許容される。）。つまり、筐体３は、フレーム３１において、側壁部３１ａが二重壁構造の外側の壁体を構成し、区画壁部３１ｂが二重壁構造の内側の壁体を構成する。
【００２６】
なお、この筐体３は、フレーム３１とアッパカバー３３との接続部分に迷路状の構造を構成することで、フレーム３１とアッパカバー３３との接続部分の隙間を介した水の浸入自体を抑制している。具体的には、アッパカバー３３は、側壁部３３ａの外部側の面に外側壁部３３ｃが形成される。外側壁部３３ｃは、側壁部３３ａと水平方向に間隔をあけて当該側壁部３３ａと一体で形成される。筐体３は、アッパカバー３３とフレーム３１とが組み付けられた状態で、フレーム３１の側壁部３１ａの鉛直方向上側端部がアッパカバー３３の側壁部３３ａと外側壁部３３ｃとの間の空間部に挿入される。また、筐体３は、アッパカバー３３とフレーム３１とが組み付けられた状態で、アッパカバー３３の側壁部３３ａの鉛直方向下側端部がフレーム３１の側壁部３１ａと区画壁部３１ｂとの間の空間部、すなわち、誘導空間部３８に挿入される。つまり、筐体３は、当該筐体３の内部側から外部側に向かって区画壁部３１ｂ、側壁部３３ａ、側壁部３１ａ、外側壁部３３ｃの順で重なり重複部位を構成する。この構成により、電気接続箱１は、フレーム３１の側壁部３１ａ、区画壁部３１ｂとアッパカバー３３の側壁部３３ａ、外側壁部３３ｃとが筐体３の内外方向に重なり互い違いに入り組んだ迷路状の構造を構成する。この結果、電気接続箱１は、フレーム３１とアッパカバー３３との隙間を介して外部側から収容空間部３５側に水が浸入することを抑制することができる。そして、電気接続箱１は、仮にフレーム３１とアッパカバー３３との接続部分の隙間を介して筐体３の内部側に水が浸入しても、当該水を、誘導空間部３８を介して鉛直方向下側に誘導することで、電子部品２が収容されている収容空間部３５側への水の浸入を抑制することができる。
【００２７】
そして、本実施形態の筐体３は、図２、図３、図４に示すように、さらに、誘導空間部３８内に排水リブ３１ｄを有すると共に誘導空間部３８を区画する区画壁部３１ｂの一部が排水リブ３１ｄに合わせた形状とされている。この構成により、電気接続箱１は、筐体３の内部に浸入した水をより適正に処理することができるようにしている。
【００２８】
具体的には、排水リブ３１ｄは、誘導空間部３８内に鉛直方向（高さ方向Ｘ）と交差する誘導方向Ａに沿って延在して設けられるものである。この構成により、排水リブ３１ｄは、当該誘導空間部３８内を鉛直方向下側に誘導される水を誘導方向Ａに沿って誘導空間部３８の排水口３１ｅ、３１ｆ側に誘導する。排水リブ３１ｄは、側壁部３１ａと区画壁部３１ｂとの間に渡ってこれらと一体で形成される。排水リブ３１ｄは、棒状の部分として形成される。排水口３１ｅ、３１ｆは、誘導空間部３８を誘導される水を誘導空間部３８の外部に排水するための開口部である。排水口３１ｅ、３１ｆは、誘導空間部３８の鉛直方向下端部に設けられる。排水口３１ｅ、３１ｆは、鉛直方向下側に向けて開口している。排水リブ３１ｄは、筐体３の内部における被水回避部位３９を迂回して排水口３１ｅ、３１ｆ側に向けて延在して設けられる。
【００２９】
ここで、被水回避部位３９とは、筐体３の収容空間部３５側に位置し水が付着することが好ましくない部位である。被水回避部位３９は、例えば、電子部品２と配索材Ｗとを接続するコネクタ等の電気的接点部位や筐体３において当該電気的接点部位と近接した部位である。ここでは、被水回避部位３９は、一例として、フレーム３１の側壁部３１ａの鉛直方向上側の端部から鉛直方向下側に向かって、他の電気的接点部位よりも相対的に深い位置にあるコネクタの電気的接点部位であるものとして説明する。排水口３１ｅ、３１ｆは、当該被水回避部位３９を避けるように設けられる。ここでは、排水口３１ｅ、３１ｆは、合計２つが設けられる。排水口３１ｅと排水口３１ｆとは、第１幅方向Ｙを挟んで被水回避部位３９の両側に位置する。つまり、被水回避部位３９は、第１幅方向Ｙに対して排水口３１ｅと排水口３１ｆとの間に挟まれて位置する。
【００３０】
排水リブ３１ｄは、鉛直方向（高さ方向Ｘ）と交差する誘導方向Ａに沿って２つの排水口３１ｅ、３１ｆ側に向けてそれぞれ延在する。ここでは、排水リブ３１ｄは、第１幅方向Ｙに対して排水口３１ｅと排水口３１ｆとの間に頂点部３１ｇを有する。そして、排水リブ３１ｄは、頂点部３１ｇを鉛直方向の頂点として第１幅方向Ｙ両側がそれぞれ鉛直方向下側に向けて傾斜して形成される。より詳細には、排水リブ３１ｄは、頂点部３１ｇを鉛直方向の頂点として、第１幅方向Ｙの一方側が排水口３１ｅ側に向かって鉛直方向下側に傾斜して形成された傾斜面３１ｄａを有する。さらに、排水リブ３１ｄは、第１幅方向Ｙの他方側が排水口３１ｆ側に向かって鉛直方向下側に傾斜して形成された傾斜面３１ｄｂを有する。つまり、排水リブ３１ｄは、第２幅方向Ｚに沿って視て（第２幅方向視にて）、頂点部３１ｇを鉛直方向の頂点として、略山型形状になるように形成される。排水リブ３１ｄは、当該傾斜の方向（斜め下方向）が誘導空間部３８内を誘導される水の誘導方向Ａとなる。
【００３１】
本実施形態の筐体３は、さらに、誘導空間部３８内に鉛直方向（高さ方向Ｘ）に沿って延在して設けられ、排水リブ３１ｄから排水口３１ｅ、３１ｆまで延在する鉛直リブ３１ｈ、３１ｉを有する。鉛直リブ３１ｈは、鉛直方向に沿って、排水リブ３１ｄの第１幅方向Ｙの一方側でかつ鉛直方向下側の端部から排水口３１ｅの縁部まで延在して形成される。鉛直リブ３１ｉは、鉛直方向に沿って、排水リブ３１ｄの第１幅方向Ｙの他方側でかつ鉛直方向下側の端部から排水口３１ｆの縁部まで延在して形成される。鉛直リブ３１ｈ、３１ｉは、排水リブ３１ｄと同様に、側壁部３１ａと区画壁部３１ｂとの間に渡ってこれらと一体で形成される。鉛直リブ３１ｈ、３１ｉは、棒状の部分として形成される。
【００３２】
そして、本実施形態の区画壁部３１ｂは、鉛直方向下側の端部３１ｊが排水リブ３１ｄに沿って位置する。さらに言えば、区画壁部３１ｂは、鉛直方向下側の端部３１ｊが排水リブ３１ｄと揃っている。本実施形態の区画壁部３１ｂは、排水リブ３１ｄの鉛直方向（高さ方向Ｘ）下側でかつ鉛直リブ３１ｈ、３１ｉの水平方向（第１幅方向Ｙ）側方の領域であって当該排水リブ３１ｄと鉛直リブ３１ｈ、３１ｉとによって囲われた領域が切り欠き部３１ｋを構成する。切り欠き部３１ｋは、区画壁部３１ｂにおいて排水リブ３１ｄと鉛直リブ３１ｈ、３１ｉとによって囲われた領域が切り欠かれ、第２幅方向Ｚに沿って貫通することで構成される。
【００３３】
上記のように構成される電気接続箱１は、例えば、仮にフレーム３１とアッパカバー３３との接続部分の隙間を介して筐体３の内部に水が浸入した場合であっても、当該浸入した水を、誘導空間部３８を介して鉛直方向下側に誘導する。この構成により、電気接続箱１は、電子部品２が収容されている収容空間部３５側へ水が浸入することを抑制することができる。このとき、電気接続箱１は、誘導空間部３８内を鉛直方向下側に誘導される水を、排水リブ３１ｄによって、鉛直方向と交差する誘導方向Ａに沿って排水口３１ｅ、３１ｆ側に誘導する。より具体的には、電気接続箱１は、誘導空間部３８内を鉛直方向下側に誘導される水を、排水リブ３１ｄの傾斜面３１ｄａ、３１ｄｂ上を自重によって移動させることで、被水回避部位３９を迂回させて排水口３１ｅ、３１ｆ側に誘導する。この結果、電気接続箱１は、誘導空間部３８内を鉛直方向下側に誘導される水が被水回避部位３９に付着したり、当該被水回避部位３９に向けて跳ね返ったりすることを抑制することができる。そして、この電気接続箱１では、誘導空間部３８内を鉛直方向下側に誘導され、ロアカバー３２の底部３２ｂ上に落下した水は、例えば、底部３２ｂに形成された排出口（不図示）等から筐体３の外部に排出されることで適正に処理される。
【００３４】
以上で説明した電気接続箱１、ワイヤハーネスＷＨは、電子部品２を収容する収容空間部３５の水平方向側方に区画壁部３１ｂを介して区画される誘導空間部３８によって、筐体３の内部に浸入した水を鉛直方向下側に誘導し処理する。このとき、電気接続箱１は、誘導空間部３８内に設けられた排水リブ３１ｄによって、誘導空間部３８内を鉛直方向下側に誘導される水を、鉛直方向と交差する誘導方向Ａに沿って誘導空間部３８の排水口３１ｅ、３１ｆ側に誘導することができる。この構成により、電気接続箱１は、誘導空間部３８内を誘導される水が収容空間部３５内の電子部品２等に付着し当該電子部品２等が被水することを抑制した上で、当該浸入した水を排水口３１ｅ、３１ｆから誘導空間部３８の外部に排水することができる。その上で、電気接続箱１は、当該誘導空間部３８を区画する区画壁部３１ｂの鉛直方向下側の端部３１ｊが排水リブ３１ｄに沿って位置する。この構成により、電気接続箱１は、誘導空間部３８の鉛直方向に沿った深さを抑制することができるので、当該誘導空間部３８を区画する区画壁部３１ｂを形成し易い構成とすることができる。すなわち、電気接続箱１は、区画壁部３１ｂの鉛直方向に沿った深さが相対的に浅くなるように抑制することができる。この構成により、電気接続箱１は、例えば、当該区画壁部３１ｂを金型成形する際に誘導空間部３８となる空間部に挿入される金型のコマの長さが相対的に長くなることを抑制することができる。この結果、電気接続箱１は、区画壁部３１ｂの成形性の悪化を抑制することができ、また、金型のコマにおいて厚みが薄く強度が相対的に低くなる部分を極力少なくすることができるので当該金型の耐久性を向上することができる。つまり、電気接続箱１は、筐体３の内部に浸入した水の処理と、区画壁部３１ｂを成形する金型の強度向上とを両立することができる。この結果、電気接続箱１、ワイヤハーネスＷＨは、筐体３の内部に浸入した水を適正に処理することができる。
【００３５】
ここでは、以上で説明した電気接続箱１、ワイヤハーネスＷＨは、区画壁部３１ｂにおいて、排水リブ３１ｄと鉛直リブ３１ｈ、３１ｉとによって囲われた領域が切り欠き部３１ｋを構成する。この構成により、電気接続箱１、ワイヤハーネスＷＨは、区画壁部３１ｂの上記領域に切り欠き部３１ｋが形成されることで、区画壁部３１ｂの鉛直方向に沿った深さが相対的に浅くなるように抑制することができる。この結果、電気接続箱１、ワイヤハーネスＷＨは、上記のように、区画壁部３１ｂの成形性の悪化抑制や金型の耐久性向上を実現することができる。
【００３６】
より詳細には、以上で説明した電気接続箱１、ワイヤハーネスＷＨは、排水リブ３１ｄが被水回避部位３９を迂回して設けられる。この構成により、電気接続箱１は、区画壁部３１ｂを被水回避部位３９の部分まで設けなくても排水リブ３１ｄの部分まで設けることで適正に被水回避部位３９への被水を抑制することができる。つまり、電気接続箱１は、排水リブ３１ｄによって被水回避部位３９を迂回させた部分に区画壁部３１ｂを設けなくても被水回避部位３９への被水を抑制可能な構成とすることができる。この結果、電気接続箱１は、上記のように、区画壁部３１ｂの鉛直方向に沿った深さが相対的に浅くなるように抑制することができる。特に、電気接続箱１は、被水回避部位３９が鉛直方向に対して他の電気的接点部位よりも相対的に深い位置にあり、区画壁部３１ｂの鉛直方向に沿った深さがより深くなる傾向にある。これに対して、電気接続箱１は、上記のようにこの部分の区画壁部３１ｂの鉛直方向に沿った深さが相対的に浅くなるように抑制することができるので、区画壁部３１ｂの成形性の悪化抑制や金型の耐久性向上の効果を顕著に発揮することができる。
【００３７】
なお、上述した本発明の実施形態に係る電気接続箱、及び、ワイヤハーネスは、上述した実施形態に限定されず、特許請求の範囲に記載された範囲で種々の変更が可能である。
【００３８】
以上で説明した筐体３は、フレーム３１、ロアカバー３２、及び、アッパカバー３３が分割された３層分割構造となっているものとして説明したがこれに限らず、例えば、フレーム３１とロアカバー３２とが一体であってもよい。
【００３９】
以上の説明では、被水回避部位３９は、他の電気的接点部位よりも相対的に深い位置にあるコネクタの電気的接点部位であるものとして説明したがこれに限らない。また、以上で説明した筐体３は、鉛直リブ３１ｈ、３１ｉを備えない構成であってもよい。
【符号の説明】
【００４０】
１    電気接続箱
２    電子部品
３    筐体
３１ｂ    区画壁部
３１ｄ    排水リブ
３１ｅ、３１ｆ    排水口
３１ｈ、３１ｉ    鉛直リブ
３１ｊ    端部
３１ｋ    切り欠き部
３５    収容空間部
３８    誘導空間部
３９    被水回避部位
Ａ    誘導方向
Ｗ    配索材
ＷＨ    ワイヤハーネス
【図１】
2018186628.tif 000003
【図２】
2018186628.tif 000004
【図３】
2018186628.tif 000005
【図４】
2018186628.tif 000006